(57)【特許請求の範囲】
【請求項１】
映像表示装置を支持手段に対し左右方向及び上下方向へ首振り可能に保持する保持装置であって、前記映像表示装置を取り付ける保持プレートと前記支持手段側に取り付けられる取付プレートとの間に、左右首振り用ヒンジシャフトを有する左右首振り制御手段及び上下首振り用ヒンジシャフトを有する上下首振り制御手段を設け、前記左右首振り制御手段を、前記左右首振り用ヒンジシャフトの一方の側に設けた、当該左右首振り用ヒンジシャフトを挿通させて互いに面方向で噛み合うことのできる固定ギアと回転ギア、この固定ギアと回転ギアの間に設けたウエーブワッシャー、前記固定ギアと回転ギアを互いに圧接させる弾性部材、押えワッシャーと、この押えワッシャーに当接させて前記左右首振り用ヒンジシャフトに取り付けて設けた左右ロックレバーとから成る左右首振りロック手段と、前記左右首振り用ヒンジシャフトの他方の側に設けた、当該左右首振り用ヒンジシャフトを挿通させて複数のフリクションワッシャー、弾性部材、及び押えワッシャーから成る左右フリクショントルク発生手段とで構成し、前記上下首振り制御手段を、前記上下首振り用ヒンジシャフトの一方の側に、当該上下首振り用ヒンジシャフトを挿通させて互いに面方向で噛み合うことのできる回転ギアと固定ギア、この回転ギアと固定ギアの間に設けたウエーブワッシャー、前記回転ギアと固定ギアを互いに圧接させる弾性部材、押えワッシャーと、この押えワッシャーに当接させて前記上下首振り用ヒンジシャフトに取り付けた前記固定ギアと前記回転ギアの係合解離を行なう上下ロックレバーから成る上下首振りロック手段と、前記上下首振り用ヒンジシャフトの他方の側に設けた、当該上下首振り用ヒンジシャフトを挿通させた複数のフリクションワッシャー、弾性部材、及び押えワッシャーから成る上下フリクショントルク発生手段とで構成したことを特徴とする、保持装置。
【請求項２】
前記左右首振り用ヒンジシャフトと前記上下首振り用ヒンジシャフトは、ジョイント部材を介して互いに直交する方向に接続されていることを特徴とする、請求項１に記載の保持装置。
【請求項３】
前記左右首振り制御手段と前記上下首振り制御手段は、前記左右首振り用ヒンジシャフトと前記上下首振り用ヒンジシャフトの回転角度を規制するストッパー手段を有することを特徴とする、請求項１に記載の保持装置。
【請求項４】
前記保持装置は、前記映像表示装置の着脱機構を有し、この着脱機構は前記映像表示装置の前記保持プレートに対し係合離脱可能に取り付けたところの前記上下首振り用ヒンジシャフトを軸支する一対のブラケットを取り付けたアダプター部材と、前記保持プレートに取り付けられ前記アダプター部材の前記保持プレートに対する係合解離を行なう係止部材とで構成したことを特徴とする、請求項１に記載の保持装置。
【請求項５】
前記アダプター部材は、前記保持プレートに設けた凸形状の取付部の外側に嵌めこむ凹形状を呈し、その下側に下部係止ピンをその上端部側に上部係合溝を設けたもので、前記下部係止ピンを前記取付部の下端部側に設けた下部係合溝へ嵌めこみ、前記上部係合溝を前記取付部の上端部に取り付けた上部係止ピンと係合させる構成とし、前記係止部材は前記取付部内部へ嵌め込む凸形状を呈し、前記保持プレートに対し上下方向へスライド可能に取り付け、前記上部係止ピンとの間にテンションコイルスプリングを張設すると共に、下端部側に設けたところの下部係止溝で前記下部係止ピンを前記取付部に設けた下部係合溝と共に係止する構成とし、この係止部材をスライドさせることで前記アダプター部材の前記下部係止ピンに対する係合解離を行うように構成したことを特徴とする、請求項４に記載の保持装置。
【請求項６】
前記請求項１乃至５のいずれか１項に記載の保持装置で支持手段に取り付けられることを特徴とする、映像表示装置。
【発明の詳細な説明】
【技術分野】
【０００１】
本発明は、例えば液晶テレビ、プラズマテレビなどから成るモニターテレビなどの映像表示装置の保持装置並びにこの保持装置を用いた映像表示装置に関する。
【背景技術】
【０００２】
従来、モニターテレビなどの映像表示装置を、壁部など支持手段に取り付ける際に用いられる保持装置が、下記特許文献１と２に記載されているように公知である。このような公知の保持装置は映像表示装置を前後方向へ首振り可能に保持できるように構成されているが、所望の角度に映像表示装置を保持させた状態で自重或いは振動その他の理由で映像表示装置の傾斜角度が変化しないようにするために、フリションプレートや、皿バネなどの弾性手段で構成したフリクション機構を有している。
【先行技術文献】
【特許文献】
【０００３】
【特許文献１】特開２００６−０２９５３２号公報
【特許文献２】特開２００７−１３９０１２号公報
【発明の概要】
【発明が解決しようとする課題】
【０００４】
しかるに、上記した従来公知の先行技術文献に係る保持装置は、映像表示装置が小型軽量であったり、設置状態により保持装置に余り大きなフリクショントルクが掛からない場合には、この構成で足りたが、映像表示装置が大型で重量のある場合や、例えば壁掛け式にするなど保持装置に大きなフリクショントルクのかかる場合には、映像表示装置の傾斜角度に経時的変化が生じてしまい、実用的ではなかった。それではといって、保持装置にロック手段を加えた場合、うっかりロックを解除しない状態で傾斜角度を変えた場合、或は地震などで映像表示装置が大きく揺れた場合には、ロック手段が破壊されてしまうといった問題が新たに生じた。
【０００５】
本発明の目的は、映像表示装置をロック手段でロックした状態において、これを解除しないままで映像表示装置の角度を変更させても、ロック手段が破壊されないように成した映像表示装置の保持装置並びにこの保持装置を用いた映像表示装置を提供せんとするにある。
【課題を解決するための手段】
【０００７】
上記した目的を達成するために請求項１に記載の保持装置は、映像表示装置を支持手段に対し左右方向及び上下方向へ首振り可能に保持する保持装置であって、前記映像表示装置を取り付ける保持プレートと前記支持手段側に取り付けられる取付プレートとの間に、左右首振り用ヒンジシャフトを有する左右首振り制御手段及び上下首振り用ヒンジシャフトを有する上下首振り制御手段を設け、前記左右首振り制御手段を前記左右首振り用ヒンジシャフトの一方の側に設けた、当該左右首振り用ヒンジシャフトを挿通させて互いに面方向で噛み合うことのできる固定ギアと回転ギア、この固定ギアと回転ギアの間に設けたウエーブワッシャー、前記固定ギアと回転ギアを互いに圧接させる弾性部材、押えワッシャーと、この押えワッシャーに当接させて前記左右首振り用ヒンジシャフトに取り付けて設けた左右ロックレバーとから成る左右首振りロック手段と、前記左右首振り用ヒンジシャフトの他方の側に設けた、当該左右首振り用ヒンジシャフトを挿通させて複数のフリクションワッシャー、弾性部材、及び押えワッシャーから成る左右フリクショントルク発生手段とで構成し、前記上下首振り制御手段を前記上下首振り用ヒンジシャフトの一方の側に、当該上下首振り用ヒンジシャフトを挿通させて互いに面方向で噛み合うことのできる回転ギアと固定ギア、この回転ギアと固定ギアの間に設けたウエーブワッシャー、前記回転ギアと固定ギアを互いに圧接させる弾性部材、押えワッシャーと、この押えワッシャーに当接させて前記上下首振り用ヒンジシャフトに取り付けた前記固定ギアと前記回転ギアの係合解離を行なう上下ロックレバーから成る上下首振りロック手段と、前記上下首振り用ヒンジシャフトの他方の側に設けた、当該上下首振り用ヒンジシャフトを挿通させた複数のフリクションワッシャー、弾性部材、及び押えワッシャーから成る上下フリクショントルク発生手段とで構成したことを特徴とする。
【０００８】
次に、請求項２に記載の保持装置は、請求項１に記載の前記左右首振り用ヒンジシャフトと前記上下首振り用ヒンジシャフトを、ジョイント部材を介して互いに直交する方向に接続したことを特徴とする。
【０００９】
次に、請求項３に記載の保持装置は、前記請求項１に記載の前記左右首振り制御手段と前記上下首振り制御手段を、前記左右首振り用ヒンジシャフトと前記上下首振り用ヒンジシャフトの回転角度を規制するストッパー手段を有するものとしたことを特徴とする。
【００１０】
次に、請求項４に記載の保持装置は、前記映像表示装置の着脱機構を有し、この着脱機構は前記映像表示装置の前記保持プレートに対し係合離脱可能に取り付けたところの前記上下首振り用ヒンジシャフトを軸支する一対のブラケットを取り付けたアダプター部材と、前記保持プレートに取り付けられ前記アダプター部材の前記保持プレートに対する係合解離を行なう係止部材とで構成したことを特徴とする。
【００１１】
さらに、請求項５に記載の保持装置は、前記アダプター部材を、前記保持プレートに設けた凸形状の取付部の外側に嵌めこむ凹形状を呈し、その下側に下部係止ピンをその上端部側に上部係合溝を設けたもので、前記下部係止ピンを前記取付部の下端部側に設けた下部係合溝へ嵌めこみ、前記上部係合溝を前記取付部の上端部に取り付けた上部係止ピンと係合させる構成とし、前記係止部材は前記取付部内部へ嵌め込む凸形状を呈し、前記保持プレートに対し上下方向へスライド可能に取り付け、前記上部係止ピンとの間にテンションコイルスプリングを張設すると共に、下端部側に設けたところの下部係止溝で前記下部係止ピンを前記取付部に設けた下部係合溝と共に係止する構成とし、この係止部材をスライドさせることで前記アダプター部材の前記下部係止ピンに対する係合解離を行うように構成したことを特徴とする。
【００１２】
そして、請求項６に記載の保持装置は、前記請求項１乃至５のいずれか１項に記載の保持装置で支持手段に取り付けられることを特徴とするものである。
【発明の効果】
【００１４】
本発明は以上のように構成したので、請求項１発明によれば、保持装置が左右首振り制御手段と上下首振り制御手段のそれぞれを装備したことによって、左右首振り制御手段と上下首振り制御手段の左右首振りロック手段と上下首振りロック手段並びに左右フリクショントルク発生手段と上下フリクショントルク発生手段によって、映像表示装置を支持手段に対して左右及び上下方向に首振り可能に取り付けることができ、左右首振りロック手段及び又は上下首振りロック手段を解除しない状態で映像表示装置の左右方向及び上下方向の首振り角度を変えても、保持装置が壊れてしまうことのないものである。
【００１５】
さらに、請求項３発明によれば、ストッパー手段により、映像表示装置の左右首振り或は上下方向の首振り角度を所定範囲に規制することができるものである。
【００１６】
さらに、請求項４発明によれば、着脱機構により映像表示装置を保持装置に対して取り付け、取り外しを行うことができることから、映像表示装置の交換修理を行う際に便利であるものである。
【００１７】
そして、請求項５発明によれば、保持装置に取り付けた映像表示装置を左右方向及び又は前後方向首振り角度を所定の範囲で任意に調節することができ或は着脱できる映像表示装置を提供できるものである。
【図面の簡単な説明】
【００１８】
【図１】本発明に係る保持装置を映像表示装置の裏側へ取り付けた状態を後方から見た斜視図である。
【図２】本発明に係る保持装置を前方から見た拡大斜視図である。
【図３】本発明に係る保持装置から左右首振り制御手段と上下首振り制御手段に被せる各カバー部と取付プレートを取り外して後方から見た斜視図である。
【図４】本発明に係る保持装置から左右首振り制御手段と上下首振り制御手段に被せる各カバー部と取付プレートを取り外して見た一部分解平面図である。
【図５】本発明に係る保持装置から左右首振り制御手段と上下首振り制御手段に被せる各カバー部と取付プレートを取り外して見た一部分解側面図である
【図６】本発明に係る保持装置を後方から見た分解斜視図である。
【図７】本発明に係る保持装置の左右及び上下首振りロック手段を説明するための図であり、（ａ）はロック前の状態を示し、（ｂ）はロックした状態を示している。
【図８】本発明に係る保持装置の左右及び上下首振りロック手段の拡大分解斜視図である。
【図９】本発明に係る保持装置の保持プレートの縦断面図である。
【図１０】本発明に係る保持装置の係止部材の縦断面図である。
【図１１】本発明に係る保持装置の左右首振り用ヒンジシャフトを示し、（ａ）はその斜視図、（ｂ）はその縦断面図である。
【図１２】本発明に係る保持装置のジョイント部材を示し、（ａ）はその正面図、（ｂ）はその縦断面図である。
【図１３】本発明に係る保持装置の上下首振り用ヒンジシャフトを示し。（ａ）はその正面図、（ｂ）はその縦断面図である。
【図１４】本発明に係る保持装置の第１Ａブラケットと第１Ｂブラケットの斜視図である。
【図１５】本発明に係る保持装置の第２Ａブラケットと第２Ｂブラケットの斜視図である。
【図１６】本発明に係る保持装置の左右首振りロック手段の固定ギアで上下首振りロック手段の回転ギアを示し、（ａ）はその平面側から見た斜視図、（ｂ）底面側から見た斜視図である。
【図１７】本発明に係る保持装置の左右首振りロック手段の回転ギアで上下首振りロック手段の固定ギアの斜視図である。
【図１８】本発明に係る保持装置のウエーブワッシャーを示し、（ａ）はその平面図、（ｂ）はその側面図である。
【図１９】本発明に係る保持装置の係止片を有するフリクションワッシャーを代表して示し、（ａ）は左右フリクショントルク発生手段のものの拡大斜視図、（ｂ）は上下フリクショントルク発生手段のものの拡大斜視図である。
【図２０】本発明に係る保持装置のカバーのうち上下首振り制御手段と左右首振り制御手段の側の第１Ａ及び第２Ａカバー部を示す斜視図である。
【図２１】本発明に係る保持装置のカバーのうち上下首振り制御手段と左右首振り制御手段の側の第１Ｂ及び第２Ｂカバー部を示す斜視図である。
【図２２】本発明に係る保持装置の左右方向の首振り動作を説明する説明図である。
【図２３】本発明に係る保持装置の上下方向の首振り動作を説明する説明図である。
【図２４】本発明に係る保持装置における映像表示装置の着脱機構の動作を説明するもので、（ａ）は映像表示装置の取外し前の状態を示し、Ａ視の部分はその一部拡大図、（ｂ）は取外し開始の状態を示し、Ｂ視の部分はその一部拡大図、（ｃ）は取外し途中の状態を示し、（ｄ）は取外し後の状態をそれぞれ示している。
【発明を実施するための形態】
【００１９】
以下に本発明係る保持装置を映像表示装置の一例である液晶モニターテレビに用いた場合の実施例について図面に基づいて説明する。しかしながら、本発明に係る保持装置を用いる映像表示装置は液晶モニターテレビに限らず、プラズマテレビ、液晶テレビ等の映像表示装置の保持装置として用いられるものである。また、本発明は、左右首振り制御手段或は上下首振り制御手段のみで成立する場合がある。つまり、左右首振り制御手段と上下首振り制御手段一の方のみで構成した保持装置に適用されるということである。
【実施例１】
【００２０】
本発明に係る映像表示装置Ａの保持装置Ｂは、図１乃至図２１に示したように、壁部などの支持手段Ｃ側に取り付けられる取付プレート１と映像表示装置Ａを取り付ける保持プレート２との間に、左右首振り用ヒンジシャフト３と上下首振り用ヒンジシャフト４とを互いに直交する方向に設け、前記左右首振り用ヒンジシャフト３の側に前記保持プレート２の左右方向の首振り角度を制御する左右首振り制御手段Ｄを設け、上下首振りシャフト４の側に保持プレート２の上下方向の首振り角度を制御する上下首振り制御手段Ｅが設けられている。
【００２１】
まず、左右首振り制御手段Ｄの方から説明する。この左右首振り制御手段Ｄの左右首振り用ヒンジシャフト３は、中央部の大径部３ａとその両端部側の小径部３ｂ、３ｃから成り、小径部３ｂ、３ｃを後述する取付プレート１に取り付けた第１Ａブラケット２５と第１Ｂブラケット２６の各軸受孔２５ｅ、２６ｅに回転可能に軸受けされている。
【００２２】
左右首振り制御手段Ｄは、とくに図６と図８に示したように、前記左右首振り用ヒンジシャフト３の一方の小径部３ｂを挿通させて、互いに面方向で噛み合う固定ギア５と回転ギア６、この固定ギア５と回転ギア６の間に設けた挿通孔７ａを有するウエーブワッシャー７（図１８参照）、前記固定ギア５と回転ギア６を互いに圧接させるために、その中心部軸方向に設けた挿通孔８ｄ、８ｄ、８ｄを有する複数の皿バネ８ａ〜８ｃから成る弾性手段８、及び変形挿通孔９ａを有する押えワッシャー９と、前記左右首振り用ヒンジシャフト３の前記押えワッシャー９の側に左右首振り用ヒンジシャフト３に対して直交する方向に取り付けた取付ピン１０ａに対して回転可能に取り付けた左右ロックレバー１０とで構成した左右首振りロック手段Ｄ１と、前記左右首振り用ヒンジシャフト３の他方の小径部３ｃを挿通させて、複数のフリクションワッシャー１１ａ〜１１ｄから成る摩擦手段１１、挿通孔１２ａを有する皿バネから成る弾性部材１２、及び変形挿通孔１３ａを有する押えワッシャー１３、雄ネジ部３ｆにネジ着される締め付けナット１３ｂとから成る左右フリクショントルク発生手段Ｄ２とで構成されている。尚、フリクションワッシャー１１ａ〜１１ｃの形状は、まとめて図１９（ａ）に示してある。
【００２３】
次に、上下首振り制御手段Ｅについて説明する。この上下首振り制御手段Ｅの上下首振り用ヒンジシャフト４は、中央部の大径部４ａとその両端部側の小径部４ｂ、４ｃから成り、この各小径部４ｂ、４ｃを後述するアダプター部材２８に取り付けたに第２Ａブラケット３０と第２Ｂブラケット３１の各軸支孔３０ｊ、３１ｊに軸支させている。
【００２４】
上下首振り用ヒンジシャフト４の一方の小径部４ｂを挿通させて、とくに図６と図８に示したように、互いに面方向で噛み合う回転ギア１４と固定ギア１５、この回転ギア１４と固定ギア１５の間に設けたところの挿通孔１６ａを有するウエーブワッシャー１６（図１８参照）、前記回転ギア１４と固定ギア１５を互いに圧接させる皿バネ１７ａ〜１７ｃから成る弾性部材１７、及び変形挿通孔１８ａを有する押えワッシャー１８と、前記上下首振り用ヒンジシャフト４の前記押えワッシャー１８の側に上下首振り用ヒンジシャフト４と直交する方向に取り付けた取付ピン１９ａに回転可能に取り付けた上下ロックレバー１９とで構成した上下首振りロック手段Ｅ１と、前記上下首振りシャフト４の他方の小径部４ｃの側に当該小径部４ｃを挿通させて、複数のフリクションワッシャー２０ａ〜２０ｆから成る摩擦手段２０、皿バネから成る弾性部材２１、及び押えワッシャー２２、及び小径部４ｃ側の押えワッシャー２２から突出した部分をかしめたかしめ部４ｄから成る上下フリクショントルク発生手段Ｅ２で構成されている。さらに、皿バネ１７ａ〜１７ｃには小径部４ｃを挿通させる挿通孔１７ｄ、１７ｄ、１７ｄが設けられ、弾性部材２１と押えワッシャー２２にはその中心部軸方向へ小径部４ｃを挿通係合させる変形挿通孔２１ａ、２２ａが設けられている。
【００２５】
尚、本願発明に係る保持装置Ｂの左右首振り制御手段Ｄと上下首振り制御手段Ｅは、上述したように、その一方ののみという実施例もある。
【００２６】
上記保持装置Ｂの構成をさらに詳しく説明すると、取付プレート１は、とくに図１と図２及び図７に示したように、平面矩形状を呈した枠体状のもので、４隅に設けた取付孔１ａ、１ａ・・を介して図示してない取付ネジで壁部などの支持手段Ｃへ取り付けられる。尚、この支持手段Ｃは一例であり、柱、その他の例えば台上に設置した何らかの支持台である場合もある。
【００２７】
保持プレート２は、とくに図６と図９に示したように、平面凸形状を呈しており、中央部に突出させた取付部２ａと、この取付部２ａの両側板２ｂ、２ｂからより外方向へ折り曲げて形成した取付プレート部２ｃ、２ｃとから成る。取付部２ａの下部側には、この取付部２ａから両側板２ｂ、２ｂにかけて設けた下部係合溝２ｆ、２ｆが設けられ、両側板２ｂ、２ｂの上部側に設けた取付孔２ｅには、上部係止ピン２ｄが取り付けられている。さらに、指示記号２ｈ、２ｈは、アダプター部材２８のガタ防止のための隆起部であり、上部係止ピン２ｄに指示記号２ｉ、２ｉで示されたものは、係止部材２９の上部係止溝２９ｇ、２９ｇが嵌まり込む周溝である。
【００２８】
前記取付プレート１の上下位置の各中央部に各一対の取付孔１ｂ、１ｂ・１ｃ、１ｃが設けられ、この各取付孔１ｂ、１ｂ・１ｃ、１ｃに第１Ａブラケット２５及び第１Ｂブラケット２６が取付ネジ２５ｄ、２５ｄ、２６ｄ、２６ｄを介して取り付けられている。この第１Ａブラケット２５及び第１Ｂブラケット２６は同じ形状構成のものである。まず、第１Ａブラケット２５の方から説明すると、取付孔２５ｂ、２５ｂを設けた取付プレート部２５ａと、この取付プレート部２５ａから折り曲げて形成させた軸受プレート部２５ｃとから成り、この取付プレート部２５ａを取付ネジ２５ｄ、２５ｄを用いて取付プレートへ取り付けている。第１Ｂブラケット２６の方は、取付孔２６ｂ、２６ｂを設けた取付プレート部２６ａと、この取付プレート部２６ａから折り曲げて形成させた軸受プレート部２６ｃとから成り、この取付プレート部２６ａを取付ネジ２６ｄ、２６ｄを用いて取付プレート１へ取り付けている。第１Ａブラケット２５と第１Ｂブラケット２６には、とくに図１４に示したように、さらに軸受プレート部２５ｃ、２６ｃに、それぞれ１対ずつの後述する第１Ａカバー部２３と第１Ｂカバー部２４の各係止片２３ａ、２３ａ・２４ａ、２４ａを係止する係止部２５ｆ、２５ｆ・２６ｆ、２６ｆと、とくに図６と図１２に示したように、ジョイント部材２７の上下端部に設けたストッパー片２７ｂ、２７ｂに当接して左右首振り用ヒンジシャフト３の回転を左右９０°ずつ合計で１８０°に制限するシャフトストッパー部２５ｇ、２５ｇ・２６ｇ、２６ｇと、フリクションワッシャー１１ｂ、１１ｃの係止部２５ｈ、２５ｈ、・２６ｈ、２６ｈが設けられている。尚、本明細書においては、第１Ａカバー部２３及び第１Ｂカバー部２４と第２Ａカバー部３２及び第２Ｂカバー部３３を含めて、単にカバー部という場合がある。
【００２９】
左右首振り用ヒンジシャフト３の大径部３ａには、とくに図６と図１１に示したように、一対の取付孔３ｄ、３ｄが半径方向に貫通して設けられ、この大径部３ａに設けた取付孔３d、３dを通して、とくに図６と図１２に示したように、ジョイント部材２７に設けた雌ネジ孔２７ｄ、２７ｄに取付ネジ２７ａ、２７ａをネジ着させることによって、ジョイント部材２７へ取り付けられている。さらに、小径部３ｂには左右ロックレバー１０を取り付ける取付ピン１０ａ用の取付孔３ｅが設けられ、小径部３ｃには雄ネジ部３ｆが設けられると共に、大径部３ａの下側にはフリクションワッシャー１１ａの係止片１１ｅ、１１ｅを係止する係止溝３ｇ、３ｇが設けられている。
【００３０】
尚、固定ギア５はその円形軸受孔５ａに小径部３ｂを回転可能に挿通させると共に、一面側の外周側に位置してその中央部で分離されたギア部５ｂ、５ｂが設けられている。このギア部５ｂ、５ｂを設けた側とは反対側に第１Ａブラケット２５に設けた係止部２５ｈ、２５ｈに係止される係合凸部５ｃ、５ｃが設けられている。回転ギア６は、その中心部軸方向に設けた変形挿通孔６ａを小径部３ｂに通すことにより、この小径部３ｂと係合しており、その外周側に位置してギア部５ｂ、５ｂと噛み合うギア部６ｂが設けられている。左右ロックレバー１０は、取付ピン１０ａに取り付けられる一対の取付片１０ｂ、１０ｂを有し、この各取付片１０ｂ、１０ｂにカム部１０ｃ、１０ｃが設けられている。
【００３１】
左右フリクショントルク発生手段Ｄ２のフリクションワッシャー１１ａ、１１ｂ、１１ｃの各中心部軸方向に円形状の挿通孔１１ｆ、１１ｆ、１１ｆが設けられ、それぞれの外周部から突設した各係止片１１ｅ、１１ｅと係止片１１ｈ、１１ｈ・１１ｈ、１１ｈのうち、フリクションワッシャー１１ａの係止片１１ｅ、１１ｅは、左右首振り用ヒンジシャフト３に設けた係止溝３ｇ、３ｇに係止され、フリクションワッシャー１１ｂ、１１ｃに設けた各係止片１１ｈ、１１ｈ・１１ｈ、１１ｈは、第１Ｂブラケット２６に設けた係止部２６ｈ、２６ｈに係止されている。さらに、係止片を有しないフリクションワッシャー１１ｄは、その中心部軸方向に設けた変形挿通孔１１ｇへ小径部３ｃを挿通させることにより小径部３ｃに係合されている。
【００３２】
左右首振りロック手段Ｄ１と左右フリクショントルク発生手段Ｄ２には、それぞれ第１Ａカバー部２３と第１Ｂカバー部２４が取り付けられている。このうち第１Ａカバー部２３は、とくに図２０に示されたように、内側に設けた係止片２３ａ、２３ａを第１Ａブラケット２５に設けた係止部２５ｆ、２５ｆと係合させて左右首振り制御手段Ｄ１を覆っており、プレート部２３ｂには左右ロックレバー１０操作用の挿通孔２３ｃが設けられている。第１Ｂカバー部２４は、とくに図２１に示されたように、内側に設けた係止片２４ａ、２４ａを第１Ｂブラケット２６に設けた係止部２６ｆ、２６ｆに係止されて、左右フリクショントルク発生手段Ｄ２を覆っている。
【００３３】
上下首振り用ヒンジシャフト４の大径部４ａの半径方向に貫通して設けた取付孔４ｅを通した取付ネジ４ｈを、とくに図６と図１２に示したように、ジョイント部材２７に設けた雌ネジ孔２７ｅにネジ着させることにより、左右首振り用ヒンジシャフト３に対して、直交状態に取り付けられている。尚、指示記号４ｉのものは、上下ロックレバー１９の取付ピン１９ａを取り付ける取付孔である。
【００３４】
アダプター部材２８の装着部２８ａから折り曲げた両側板２８ｂ、２８ｂの略中央部からは取付板部２８ｃ、２８ｃが両側に突設されており、この取付板部２８ｃ、２８ｃに設けた各一対の取付孔２８ｄ、２８ｄ・２８ｄ、２８ｄ(一方のみ表示)に、とくに図１５に示した形状の第２Ａブラケット３０及び第２Ｂブラケット３１が取付ネジ３０ａ、３０ａ、３１ａ、３１ａを介して取り付けられている。アダプター部材２８にはさらにその両側板２８ｂ、２８ｂの下部側に設けた取付孔２８ｅに下部係止ピン２８ｆが取り付けられ、両側板２８ｂ、２８ｂの上端部には保持プレート２側の上部係止ピン２ｄと係合する上部係合溝２８ｇ、２８ｇが設けられている。
【００３５】
この第２Ａブラケット３０及び第２Ｂブラケット３１は、第２Ａブラケット３０に第２Ｂブラケットの係止部３１ｉがない点を除けば、同じ形状構成のものである(尚、図６と図１５は第２Ａブラケット３０に係止部３１ｉに相当するものはあるが、機能していない。)まず、第２Ａブラケット３０の方から説明すると、取付孔３０ｂ、３０ｂを設けた取付プレート部３０ｃと、この取付プレート部３０ｃから折り曲げて形成させた軸受プレート部３０ｄとから成り、取付プレート部３０ｃ、３０ｃをアダプター部材２８の取付板部２８c、２８cに設けた取付孔２８ｄ、２８ｄ・２８ｄ、２８ｄへ取付ネジ３０ａ、３０ａを用いて取り付けられている。第２Ｂブラケット３１の方は、取付孔３１ｂ、３１ｂを設けた取付プレート部３１ｃと、この取付プレート部３１ｃから折り曲げて形成させた軸受プレート部３１ｄとから成り、この取付プレート部３１ｄを取付ネジ３１ａ、３１ａを用いてアダプター部材２８へ取り付けている。第２Ａブラケット３０と第２Ｂブラケット３１には、とくに図１５に示したように、さらに軸受プレート部２５ｃ、２６ｃに、それぞれ１対ずつの後述する第２Ａカバー部３２と第２Ｂカバー部３３の係止片３２ａ、３２ａと３３ａ、３３ａを係止する係止溝３０ｆ、３０ｆ・３１ｆ、３１ｆと、とくに図６と図１２に示したように、ジョイント部材２７の側部略中央部に設けたストッパー片２７ｃ、２７ｃに当接して上下首振り用ヒンジシャフト４の回転を左右２０°ずつ４０°に制限するシャフトストッパー部３０ｇ、３０ｇ・３１ｇ、３１ｇと、各フリクションワッシャー２０ｂ、２０ｃの各係止片２０ｈ、２０ｈ・２０ｈ、２０ｈを係止する係止部３０ｈ、３０ｈ・３１ｈ、３１ｈが設けられている。
【００３６】
尚、回転ギア１４は、とくに図１６に示したように、その円形の軸受孔１４ａに小径部４ｂを回転可能に挿通させると共に、一側面側の外周側に位置してその中央部で分離されたギア部１４ｂ、１４ｂが設けられると共に、このギア部１４ｂ、１４ｂを設けた側とは反対側に第２Ａブラケット３０に設けた係止部３０ｈ、３０ｈに係止される係合凸部１４ｃ、１４ｃが設けられている。固定ギア１５は、とくに図４と図１７に示したように、その中心部軸方向に設けた変形挿通孔１５ａを小径部４ｂに通すことにより、この小径部４ｂと係合しており、その外周側に位置してギア部１４ｂ、１４ｂと噛み合うギア部１５ｂが設けられている。上下ロックレバー１９は、取付ピン１９ａに取り付けられる一対の取付片１９ｂ、１９ｂを有し、この各取付片１９ｂ、１９ｂにカム部１９ｃ、１９ｃが設けられている。
【００３７】
上下フリクショントルク発生手段Ｅ２の各フリクションワッシャー２０ａ〜２０ｆのうち、フリクションワッシャー２０ａ、２０ｂ、２０ｃ、２０ｅの各中心部軸方向には、図１９の（ｂ）に示されたように、円形状の挿通孔２０ｇ、２０ｇ、２０ｇ、２０ｇが設けられ、それぞれの外周部から突設した各係止片２０ｈ、２０ｈ・２０ｈ、２０ｈ・２０ｈ、２０ｈ・２０ｈ、２０ｈのうち、フリクションワッシャー２０ａのものは上下首振り用ヒンジシャフト４に設けた係止溝４ｇ、４ｇに係止され、フリクションワッシャー２０ｂと２０ｃのものは、第２Ｂブラケット３１に設けた係止部３１ｈ、３１ｈに共に係止され、フリクションワッシャー２０ｅのものは、その係止片２０ｈ、２０ｈを第２Ｂブラケット３１に設けた係止部３１ｉ、３１ｉに係止させている。さらに、フリクションワッシャー２０ｆは係止片を有せず、その中心部軸方向に設けた変形挿通孔２０ｉに小径部４ｃを通すことにより当該小径部４ｃと係合されている。
【００３８】
上下首振りロック手段Ｅ１と上下フリクショントルク発生手段Ｅ２には、それぞれ第２Ａカバー部３２と第２Ｂカバー部３３が取り付けられている。このうち第２Ａカバー部３２は、とくに図２０に示されたように、内側に設けた係止片３２ａ、３２ａを第２Ａブラケット３０に設けた係止溝３０ｆ、３０ｆと係合させて上下首振りロック手段Ｅ１を覆っており、プレート部３２ｂには上下ロックレバー１９操作用の挿通孔３２ｃが設けられている。第２Ｂカバー部３３は、とくに図２１に示されたように、内側に設けた係止片３３ａ、３３ａを第２Ｂブラケット３１に設けた係止溝３１ｆ、３１ｆに係止されて、上下フリクショントルク発生手段Ｅ２を覆っている。
【００３９】
上下首振り用ヒンジシャフト４の大径部４ａには、取付孔４ｅが半径方向に貫通して設けられ、この大径部４ａの取付孔４ｅに、ジョイント部材２７が取付ネジ２７ａで取り付けられる構成である。このジョイント部材２７は、とくに図６に示したように、その前面側と後面側を左右首振り用ヒンジシャフト３の大径部３ａに設けた凹部３ｈ（図１１参照）と上下首振り用ヒンジシャフト４の大径部４ａに設けた凹部４ｆ（図１３参照）に嵌入させる構成である。このことにより左右首振り用ヒンジシャフト３と上下首振り用ヒンジシャフト４の直交状態はこのジョイント部材２７によって安定的に保たれるものである。
【００４０】
次に、映像表示装置Ａの着脱機構Ｆについて説明する。この着脱機構Ｆは、上下首振り用ヒンジシャフト４の第２Ａブラケット３０と第２Ｂブラケット３１を取り付けたところの保持プレート２に対し着脱可能に取り付けられるアダプター部材２８と、保持プレート２に取り付けられアダプター部材２８の保持プレート２に対する着脱を行う係止部材２９とで構成されている。アダプター部材２８は、保持プレート２に設けた凸形状の取付部２ａの外側に嵌めこむ凹形状の装着部２８ａを有し、その両側板２８ｂ、２８ｂの下部側に設けた取付孔２８ｅに下部係止ピン２８ｆが取り付けられ、この両側板２８ｂ、２８ｂの上側には上部係合溝２８ｇ、２８ｇが設けられている。そして、アダプター部材２８の下部係止ピン２８ｆを前記保持プレート２の取付部２ａの下端部側に設けた下部係合溝２ｆ、２ｆへ嵌めこみ、上部係合溝２８ｇ、２８ｇを取付部２ａの上端部に取り付けた上部係止ピン２ｄと係合させる構成となっている。
【００４１】
尚、係止部材２９は取付部２ａ内部へ嵌め込こむことのできる凸形状を呈し、保持プレート２の取付部２ａ内に収容されつつ、その背部２９ａに設けたガイド長孔２９ｂにガイドピン２９ｃを通して取付部２ａに対し上下方向へスライド可能に取り付け、とくに図１０と図２４に示したように、その裏側に設けた係止片２９ｄと上部係止ピン２ｄとの間にテンションコイルスプリング２９ｅを張設すると共に、下端部側に下部係止ピン２８ｆを前記取付部２ａに設けた下部係合溝２ｆ、２ｆと共同して当該下部係止ピン２８ｆを係止する下部係止溝２９ｆ、２９ｆを有するものとし、さらに、その上端部には上部係止ピン２ｄと係合する上部係止溝２９ｇ、２９ｇが設けられている。そして、この係止部材２９をスライドさせることで、下部係止溝２９ｆ、２９ｆによる前記アダプター部材２８の下部係止ピン２８ｆに対する係合解離を行うことができるように構成されている。尚、係止部材に指示記号２９ｈで示したものは下部レバー部である。
【００４２】
次に、映像表示装置Ａを保持装置Ｂの着脱機構Ｆを介して壁部などの支持手段Ｃへ取り付ける場合から説明する。好ましくは、着脱機構Ｆのアダプター部材２８を保持プレート２から分離した状態で、当該保持プレート２を映像表示装置Ａへ取り付け、取付プレート１を支持手段Ｃへ図示してない取付ネジを用いて取り付ける。その後で、映像表示装置Ａを両手で持って、保持プレート２の取付部２ａをアダプター部材２８の装着部２８ａ内へ挿入させつつ、当該アダプター部材２８の両側板２８ｂ、２８ｂに設けたに下部係止ピン２８ｆを取付部２ａの下部係合溝２ｆ、２ｆ及び係止部材２９に設けた下部係止溝２９ｆ、２９ｆにあてがい、アダプター部材２８の側へ押し込むと、下部係止ピン２８ｆが取付部２ａに設けた下部係合溝２ｆ、２ｆへ係止部材２９の下部係止溝２９ｆ、２９ｆへテンションコイルスプリング２９ｅの張力に抗して押込まれ、係止部材２９で係止されることにより、映像表示装置Ａの保持装置Ｂへの装着が終了し、映像表示装置Ａは壁部などの支持手段Ｃへ掛けられることになる。或は支持手段Ｃが支持台の場合には、この支持台に接続されることになる。
【００４３】
その後で、まず、左右方向の設置角度を調整すべく、左右首振り制御手段Ｄのうちの左右首振りロック手段Ｄ１の左右ロックレバー１０を手指で操作して、図７の(b)に示した状態から上方へ引き上げて図７の(ａ)に示したように左側へ倒すと、この左右ロックレバー１０のカム部１０ｃ、１０ｃが押えワッシャー９に対する押し圧力を解くので、ロックが解除される。この状態で映像表示装置Ａを左右方向へ振らせると、その搖動力は保持プレート２→アダプター部材２８→第２Ａブラケット３０及び第２Ｂブラケット３１→上下首振り用ヒンジシャフト４→ジョイント部材２７→左右首振り回転ヒンジシャフト３の順で伝達され、左右首振り回転ヒンジシャフト３が第１Ａブラケット２５及び第１Ｂブラケット２６を支点に左右首振りへ回転するので、映像表示装置の左右首振りの搖動が許容される。
【００４４】
このことにより、所望する左右方向の角度に映像表示装置を向けることができる。尚、この左右首振り回転制御手段Ｄが映像表示装置Ａを搖動させることのできる角度は、図２２に示したように、左右に９０°ずつの合計で１８０°である。この際には左右フリクショントルク発生手段Ｄ２が創出するフリクショントルクにより、左右首振りの回転動作はしっくりとしたものであり、１８０°内の所望する左右角度で映像表示装置を停止させることができる。左右角度が決まったら左右ロックレバー１０を図７の(b)に示したように右側へ倒すと、カム部１０ｃ、１０ｃにより押えワッシャー９が下押しされ回転ギア６と固定ギア５の互いのギア部５ｂ、６ｂが噛み合うことによって保持装置Ｂの左右方向への首振りの揺動はロックされる。何らかの理由で使用者が左右首振りロック手段の解除をしないまま、うっかり映像表示装置Ａを左右へ振らせた場合には、ウエーブワッシャー７により回転ギア６と固定ギア５が浮き上がることができることから、これらの回転ギア６と固定ギアのギア部６ｂ、５ｂが破壊されてしまうことがないものである。このことは、例えば地震の際に映像表示装置Ａが左右へ揺れる場合にも同様である。
【００４５】
次に、映像表示装置Ａの上下方向の傾斜角度を調整する場合には、上下首振り回転制御手段Ｅのうちの上下首振りロック手段Ｅ１の上下ロックレバー１９を、図７の(b)に示した状態から手指で操作して起こし、図７の(ａ)に示したように左側へ倒すと、この上下ロックレバー１９のカム部１９ｃ、１９ｃが押えワッシャー１８に対する押圧力を解くので、上下フリクショントルク発生手段Ｅ２が創出するフリクショントルクによって、映像表示装置Ａはフリーストップ状態で上下方向へ振らせて角度調節をすることができ、その搖動力は保持プレート２→アダプター部材２８→第２Ａブラケット３０及び第２Ｂブラケット３１の順で搖動伝達され、当該第２Ａブラケット３０及び第２Ｂブラケット３１が上下首振り用ヒンジシャフト４を支点に上下方向へ回転するので、映像表示装置Ａの上下方向の首振りが許容される。この際の上下操作は、上下フリクショントルク発生手段Ｅ２により、フリーストップに停止させつつ行うことができ、しっくりとした操作感覚となるものである。尚、この上下首振り制御手段Ｅが映像表示装置Ａを上下方向へ搖動させることのできる角度は、図２３に示したように、上下に２０°ずつの合計で４０°である。この上下方向の首振り角度規制は、ジョイント部材２７に設けたストッパー片２７ｃ、２７ｃへ第２Ａブラケット３０と第２Ｂブラケット３１に設けた各シャフトストッパー部３０ｇ、３０ｇ、・３１ｇ、３１ｇが当接することによりなされる。尚、ジョイント部材２７の左右方向と上下方向に設けたストッパー片２７ｂ、２７ｂ・２７ｃ、２７ｃと第１Ａブラケット２５及び第１Ｂブラケット２６に設けたシャフトストッパー部２５ｇ、２５ｇ・２６ｇ、２６ｇと第２Ａブラケット３０及び第２Ｂブラケット３１に設けたシャフトストッパー部３０ｇ、３０ｇ、・３１ｇ、３１ｇとで、映像表示装置Ａの左右方向と前後方向に首振り角度を規制するストッパー手段を形成している。
【００４６】
続いて所望する上下方向の傾斜角度に映像表示装置Ａを向けることができたら、上下ロックレバー１９を、図７の（ｂ）に示したように左側へ倒すと、カム部１９ｃ、１９ｃにより押えワッシャー１８が下押しされ回転ギア１４と固定ギア１５の互いのギア部１４ｂ、１４ｂとギア部１５ｂが噛み合うことにより、保持装置Ｂはロックされる。何らかの理由で使用者が上下ロックレバー１９による解除操作をしないまま、うっかり映像表示装置Ａを上下方向へ振らせた場合には、ウエーブワッシャー１６により回転ギア１４と固定ギア１５が浮き上がることができることから、回転ギア１４と固定ギア１５の各ギア部１４ｂ、１４ｂとギア部１５ｂが破壊されてしまうことがないものである。
【００４７】
次に、保持装置Ｂから着脱機構Ｆ用いて映像表示装置Ａを取り外す場合には、図２４の（ａ）に示した取付状態から、（ｂ）と（ｃ）に示したように手指で係止部材２９の下部レバー部２９ｈをテンションコイルスプリング２９ｅの牽引力に抗して下側に降ろすと、図２４（ｂ）、（ｃ）に示したように、係止部材の下部係止溝２９ｆ、２９ｆが下側に移動し、アダプター部材２８の下部係止ピン２８ｆが保持プレート２の取付部２ａの下部係合溝２ｆ、２ｆから外すことができることになるので、図２４（ｄ）に示したように、映像表示装置Ａを少し上側へ持ち上げることにより、アダプター部材２８の上部係止ピン２ｄからアダプター部材２８を外すことができるものである。このようにして、映像表示装置Ａは保持装置Ｂから取り外すことができるものである。
【００４８】
取り外した映像表示装置Ａを再び保持装置Ｂへ取り付ける場合には、保持プレート２の取付部２ａの上部をアダプター部材２８内に嵌め込みつつ、上部係止ピン２ｄをアダプター部材２８の上部係合溝２８ｇ、２８ｇと係合させ、次いで、係止部材２９の下部レバー部２９ｈを、図２４（ｂ）に示したように、押し下げつつ取付部２ａの下部側をアダプター部材２８に嵌め込むと、下部係止ピン２８ｆが取付部２ａに設けた下部係止溝２９ｆ、２９ｆ内に嵌まり込みつつ、係止部材２９の下部係止溝２９ｆ、２９ｆに嵌まり込むので、下部レバー部２９ｈから手を離すと、図２４（ａ）に示したように、アダプター部材２８の下部係止ピン２８ｆは係止部材２９の下部係止溝２９ｆ、２９ｆによって、取付部２ａの下部係合溝２ｆ、２ｆから自然には外れないように係止される。このようにして、映像表示装置Ａは保持装置Ｂに取り付けられる。
【産業上の利用可能性】
【００４９】
本発明は以上のように構成したので、モニターテレビなどの映像表示装置を支持手段である壁部や柱、その他の支持台などへ左右方向或は上下方向へ所望する角度に取り付けることができる保持装置として用いられるものである。
【符号の説明】
【００５０】
Ａ      映像表示装置
Ｂ      映像表示装置の保持装置
Ｃ      支持手段
Ｄ      左右首振り制御手段
Ｄ１    左右首振りロック手段
Ｄ２    左右フリクショントルク発生手段
Ｅ      上下首振り制御手段
Ｅ１    上下首振りロック手段
Ｅ２    上下フリクショントルク発生手段
Ｆ      着脱機構
１      取付プレート
２      保持プレート
２ａ    取付部
２ｄ    上部係止ピン
２ｆ    下部係合溝
３      左右首振り用ヒンジシャフト
４      上下首振り用ヒンジシャフト
５、１５  固定ギア
６、１４  回転ギア
７、１６  ウエーブワッシャー
９、１３、１８、２２  押えワッシャー
１０    左右ロックレバー
１１ａ、１１ｂ、１１ｃ、１１ｄ  フリクションワッシャー
１２、１７、２１  弾性部材
１９    上下ロックレバー
２０ａ、２０ｂ、２０ｃ、２０ｄ、２０ｅ、２０ｆ  フリクションワッシャー
２５    第１Ａブラケット
２６    第１Ｂブラケット
２７    ジョイント部材
２８    アダプター部材
２８ｆ  下部係止ピン
２８ｇ  上部係合溝
２９    係止部材
２９ｅ  テンションコイルスプリング
２９ｆ  下部係止溝
３０    第２Ａブラケット
３１    第２Ｂブラケット
【図１】
0006436431.tif 000002
【図２】
0006436431.tif 000003
【図３】
0006436431.tif 000004
【図４】
0006436431.tif 000005
【図５】
0006436431.tif 000006
【図６】
0006436431.tif 000007
【図７】
0006436431.tif 000008
【図８】
0006436431.tif 000009
【図９】
0006436431.tif 000010
【図１０】
0006436431.tif 000011
【図１１】
0006436431.tif 000012
【図１２】
0006436431.tif 000013
【図１３】
0006436431.tif 000014
【図１４】
0006436431.tif 000015
【図１５】
0006436431.tif 000016
【図１６】
0006436431.tif 000017
【図１７】
0006436431.tif 000018
【図１８】
0006436431.tif 000019
【図１９】
0006436431.tif 000020
【図２０】
0006436431.tif 000021
【図２１】
0006436431.tif 000022
【図２２】
0006436431.tif 000023
【図２３】
0006436431.tif 000024
【図２４】
0006436431.tif 000025